(57)【要約】【課題】  光学系移動方式と流し読み方式のいずれの方式で原稿の画像を読み取る場合であっても、１ページ目の原稿についてはＦＣＯＴを短縮させ、後続のページの原稿についてはシートに印刷される画像の向きを同じにする事ができなかった。【解決手段】  第１の読取手段によって原稿の画像を読み取って生成された画像データを回転させずに画像を印刷する。その後、前記第１の読取手段とは原稿に対する読み取り方向が１８０度異なる第２の読取手段によって原稿の画像を読み取って、生成された画像データを１８０度回転させてから画像を印刷する。もしくは、前記第２の読取手段によって原稿の画像を読み取って、生成された画像データを回転させずに画像を印刷する。その後、前記第１の読取手段によって原稿の画像を読み取って、生成された画像データを１８０度回転させてから画像を印刷する。これらの印刷モードを選択的に実行するよう制御することを特徴とする。【選択図】  図７
2015115673.tif 000002
【特許請求の範囲】
【請求項１】
原稿台に載置された原稿の画像を、当該原稿に対する第１の方向から読み取る第１の読取手段と、
搬送される原稿の画像を、当該原稿に対する前記第１の方向とは１８０度異なる第２の方向から読み取る第２の読取手段と、
画像データに基づいて画像をシートに印刷する印刷手段と、
前記第１の読取手段による読み取りによって生成された画像データを回転させずに前記印刷手段によって当該画像データに基づいて画像を印刷した後、前記第２の読取手段による読み取りによって生成された画像データを１８０度回転させてから前記印刷手段によって当該画像データに基づいて画像を印刷する第１の印刷モードと、前記第２の読取手段による読み取りによって生成された画像データを回転させずに前記印刷手段によって当該画像データに基づいて画像を印刷した後、前記第１の読取手段による読み取りによって生成された画像データを１８０度回転させてから前記印刷手段によって当該画像データに基づいて画像を印刷する第２の印刷モードを選択的に実行するよう制御する制御手段と、
を有することを特徴とする印刷制御装置。
【請求項２】
前記制御手段は、前記第１の読取手段による読み取りによって生成された画像データを回転させずに前記印刷手段によって当該画像データに基づいて画像を印刷した後、前記第１の読取手段による読み取りによって生成された画像データを回転させずに前記印刷手段によって当該画像データに基づいて画像を印刷する第３の印刷モードと、前記第２の読取手段による読み取りによって生成された画像データを回転させずに前記印刷手段によって当該画像データに基づいて画像を印刷した後、前記第２の読取手段による読み取りによって生成された画像データを回転させずに前記印刷手段によって当該画像データに基づいて画像を印刷する第４の印刷モードを選択的に実行するよう制御する
ことを特徴とする請求項１に記載の印刷制御装置。
【請求項３】
排紙部にシートが有る状態から無い状態になったことを検知する検知手段を更に有し、
前記制御手段は、前記検知手段による検知に従って、前記第１の読取手段による読み取りによって生成された画像データを回転させずに前記印刷手段によって当該画像データに基づいて画像を印刷し、かつ、前記検知手段による検知に従って、前記第２の読取手段による読み取りによって生成された画像データを回転させずに前記印刷手段によって当該画像データに基づいて画像を印刷するよう制御する
ことを特徴とする請求項１又は２に記載の印刷制御装置。
【請求項４】
前記印刷手段によってシートに印刷される画像の向きが合わなくなる場合に、画像データを回転させてから印刷する第１の設定モードと、前記排紙部に載置されたシートが取り除かれてから印刷する第２の設定モードのいずれかを選択して設定する設定手段を更に有し、
前記制御手段は、前記設定手段によって前記第１の設定モードが設定されている場合は、前記第１の印刷モードと、前記第２の印刷モードを選択的に実行するよう制御し、前記設定手段によって前記第２の設定モードが設定されている場合は、前記検知手段による検知に従って、前記第１の読取手段による読み取りによって生成された画像データを回転させずに前記印刷手段によって当該画像データに基づいて画像を印刷し、かつ、前記検知手段による検知に従って、前記第２の読取手段による読み取りによって生成された画像データを回転させずに前記印刷手段によって当該画像データに基づいて画像を印刷するよう制御する
ことを特徴とする請求項３に記載の印刷制御装置。
【請求項５】
原稿台に載置された原稿の画像を、当該原稿に対する第１の方向から読み取る第１の読取工程と、
搬送される原稿の画像を、当該原稿に対する前記第１の方向とは１８０度異なる第２の方向から読み取る第２の読取工程と、
画像データに基づいて画像をシートに印刷する印刷工程と、
前記第１の読取工程による読み取りによって生成された画像データを回転させずに前記印刷工程によって当該画像データに基づいて画像を印刷した後、前記第２の読取工程による読み取りによって生成された画像データを１８０度回転させてから前記印刷工程によって当該画像データに基づいて画像を印刷する第１の印刷モードと、前記第２の読取工程による読み取りによって生成された画像データを回転させずに前記印刷工程によって当該画像データに基づいて画像を印刷した後、前記第１の読取工程による読み取りによって生成された画像データを１８０度回転させてから前記印刷工程によって当該画像データに基づいて画像を印刷する第２の印刷モードを選択的に実行するよう制御する制御工程と、
を有することを特徴とする印刷制御方法。
【請求項６】
請求項５に記載の制御方法を、コンピュータに実行させるためのプログラム。
【請求項７】
請求項６に記載のプログラムを格納した、コンピュータで読み取り可能な記憶媒体。
【発明の詳細な説明】
【技術分野】
【０００１】
本発明は、原稿の画像を読み取り、生成した画像データに基づいてシートに印刷した画像の向きを適切に合わせることができる印刷制御装置、印刷制御方法、プログラム、及び記憶媒体に関するものである。
【背景技術】
【０００２】
従来、原稿の画像の読み取り方法には、流し読み方式と光学系移動方式の２つの方式がある。流し読み方式では、原稿トレイ上に原稿を載置する。そして、自動原稿搬送装置（ＡＤＦ：Ａｕｔｏ  Ｄｏｃｕｍｅｎｔ  Ｆｉｄｅｒ）によって原稿を搬送させながら、固定された光学系の位置で原稿の画像を読み取るため、原稿の先端から画像が順次読み取られる。一方、光学系移動方式では、プラテンガラス（原稿台）上に原稿を載置する。そして、光学系を移動させながら、原稿位置が固定された原稿の画像を読み取るため、原稿の後端から画像が順次読み取られる。
【０００３】
このように、原稿の先端から画像を順次読み取る場合と、原稿の後端から画像を順次読み取る場合では、原稿を読み取って生成される画像データの向きが異なるため、当該画像データに基づいてシートに印刷した画像の向きが異なってしまう。
【０００４】
そこで、流し読み方式で原稿の画像を読み取る場合は、原稿を読み取って生成された画像データは回転させることなくシートに画像をそのまま出力する。一方、光学系移動方式で原稿の画像を読み取る場合は、原稿を読み取って生成された画像データを１８０度回転させてからシートに画像を出力する技術が知られている。（特許文献１参照）
また、原稿を読み取って生成された画像データを回転させることなくシートに画像をそのまま出力するか、もしくは、画像データを１８０度回転させてからシートに画像を出力するかについて、後続の予約ジョブの有無によって制御する技術が知られている。（特許文献２参照）
【先行技術文献】
【特許文献】
【０００５】
【特許文献１】特開平１１−１４６１８６号公報
【特許文献２】特開２００４−３５００７４号公報
【発明の概要】
【発明が解決しようとする課題】
【０００６】
一方で、１ページ目の原稿を読み取って生成される画像データに基づいてシートに出力するまでの時間（Ｆｉｒｓｔ  Ｃｏｐｙ  Ｏｕｔ  Ｔｉｍｅ：ＦＣＯＴと呼ぶ）を短縮する技術が知られている。
【０００７】
例えば、原稿をコピーして本を製作するような場合、製作する本の表紙（おもて表紙、及び、うら表紙）と、製本する本の中身（本文）で、流し読み方式と光学系移動方式を使い分ける場合がある。即ち、本の表紙については、厚紙の原稿をコピーして用いることがあり、自動原稿搬送装置（ＡＤＦ）の搬送パスに厚紙の原稿を通すことができないため、本の表紙の原稿（厚紙）はプラテンガラス（原稿台）上に載置し、光学系移動方式で読み取る必要がある。一方、本の中身については、普通紙の原稿をコピーして用いることがあり、生産性を向上させるため、本の中身の原稿（普通紙）は原稿トレイ上に載置し、流し読み方式で読み取る必要がある。そこで、１ページ目の原稿（おもて表紙）とＮページ目の原稿（裏表紙）は光学系移動方式で読み取り、２ページ目からＮ−１ページ目の原稿（本文）は流し読み方式で読み取ることがある。
【０００８】
しかしながら、光学系移動方式と流し読み方式のいずれの方式で原稿の画像を読み取る場合であっても、１ページ目の原稿についてはＦＣＯＴを短縮させるとともに、後続のページの原稿についてはシートに印刷される画像の向きを同じにする事ができなかった。
【０００９】
本発明の目的の一つは、以下のとおりである。原稿の画像を、当該原稿に対する第１の方向から読み取る場合でも、第１の方向とは１８０度異なる第２の方向から読み取る場合でも、１ページ目の原稿を読み取ってシートに印刷する時間を短縮する。更に、シートに印刷される画像の向きを合わせることができるようにした装置や方法等を提供することにある。
【課題を解決するための手段】
【００１０】
上記目的を達成するために本発明の一態様に係る印刷制御装置は以下のような構成を備える。即ち、原稿台に載置された原稿の画像を、当該原稿に対する第１の方向から読み取る第１の読取手段と、搬送される原稿の画像を、当該原稿に対する前記第１の方向とは１８０度異なる第２の方向から読み取る第２の読取手段と、画像データに基づいて画像をシートに印刷する印刷手段と、前記第１の読取手段による読み取りによって生成された画像データを回転させずに前記印刷手段によって当該画像データに基づいて画像を印刷した後、前記第２の読取手段による読み取りによって生成された画像データを１８０度回転させてから前記印刷手段によって当該画像データに基づいて画像を印刷する第１の印刷モードと、前記第２の読取手段による読み取りによって生成された画像データを回転させずに前記印刷手段によって当該画像データに基づいて画像を印刷した後、前記第１の読取手段による読み取りによって生成された画像データを１８０度回転させてから前記印刷手段によって当該画像データに基づいて画像を印刷する第２の印刷モードを選択的に実行するよう制御する制御手段と、を有することを特徴とする。
【発明の効果】
【００１１】
本発明によれば、原稿の画像を、当該原稿に対する第１の方向から読み取る場合でも、第１の方向とは１８０度異なる第２の方向から読み取る場合でも、１ページ目の原稿を読み取ってシートに印刷する時間を短縮することができる。更に、シートに印刷される画像の向きを合わせることができる。
【図面の簡単な説明】
【００１２】
【図１】本実施形態に係る印刷システムの構成を示すブロック図である。
【図２】本実施形態に係るＭＦＰの構成を示す断面図である。
【図３】本実施形態に係るＭＦＰにおいて、ＡＤＦリーダ部の外観を示す図、及び、圧板リーダ部の外観を示す図である。
【図４】本実施形態に係るＭＦＰにおいて、原稿の画像の読み取り方向（主走査方向、及び、副走査方向）を説明するための図である。
【図５】本実施形態に係るＭＦＰにおいて、ＡＤＦ読み、又は、圧板読みによって生成した画像データ、及び、１８０度回転させた後の画像データを説明するための図である。
【図６】本実施形態に係るＭＦＰにおいて、操作部に表示されるメイン画面、及び、コピー機能を利用するための実行画面の一例を示す図である。
【図７】第１の実施形態に係るＭＦＰにおいて、コピージョブの実行に係る一連の処理を説明するためのフローチャートである。
【図８】第１の実施形態に係るＭＦＰにおいて、原稿の画像を読み取り、生成した画像データに基づいて画像をシートに出力する一連の処理（Ｓ８００、Ｓ８１０）を説明するためのフローチャートである。
【図９】第１の実施形態に係るＭＦＰにおいて、シートに印刷される画像の向きが同じになるようにコピーを実行する一連の処理（Ｓ９００）の詳細を説明するためのフローチャートである。
【図１０】第１の実施形態に係るＭＦＰにおいて、原稿の画像を読み取り、生成した画像データに基づいて画像をシートに出力する一連の処理（Ｓ１０００、Ｓ１０１０）を説明するためのフローチャートである。
【図１１】第２の実施形態に係るＭＦＰにおいて、コピージョブの実行に係る一連の処理を説明するためのフローチャートである。
【図１２】第２の実施形態に係るＭＦＰにおいて、シートに印刷される画像の向きが同じになるようにコピーを実行する一連の処理（Ｓ１１００）の詳細を説明するためのフローチャートである。
【図１３】第２の実施形態に係るＭＦＰにおいて、操作部に表示される警告画面の一例を示す図である。
【図１４】第３の実施形態に係るＭＦＰにおいて、コピー動作の設定を行うための設定画面の一例を示す図である。
【発明を実施するための形態】
【００１３】
以下、本発明の実施形態について添付図面を参照して詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
［第１の実施形態］
本発明の第１の実施形態に係る印刷システムについて図１を用いて説明する。本実施形態に係る印刷システムは、原稿の画像を読み取る画像読取装置の一例であるＭＦＰ（Ｍｕｌｔｉ  Ｆｕｎｃｔｉｏｎａｌ  Ｐｅｒｉｐｈｅｒａｌ）１００と、外部の情報処理装置であるＰＣ１０１、及び、サーバ１０２で構成される。
【００１５】
なお、ＭＦＰ１００は、原稿を読み取って画像データを生成する画像読取機能と、生成した画像データに基づいて画像をシートに印刷する印刷機能（画像形成機能ともいう）を備えている。印刷機能はカラー、或いはモノクロでプリントができればよい。即ち、ＭＦＰ１００は画像読取装置としての役割の他に、印刷装置としての役割を果たしている。
【００１６】
なお、本実施形態では、ＭＦＰ１００を画像読取装置の一例として説明するが、画像読取機能があれば、原稿を読み取って画像データを生成し、生成した画像データをＰＣ１０１に送信することができるスキャナであってもよい。なお、生成した画像データはＰＣ１０１に送信するのではなく、ＵＳＢ（Ｕｎｉｖｅｒｓａｌ  Ｓｅｒｉａｌ  Ｂｕｓ）等の着脱可能な外部メモリに保存するスキャナであってもよい。
【００１７】
ＭＦＰ１００は、ＰＣ１０１と、ローカルエリアネットワーク等のＬＡＮ（Ｌｏｃａｌ  Ａｒｅａ  Ｎｅｔｗｏｒｋ）やインターネット等のＷＡＮ（Ｗｉｄｅ  Ａｒｅａ  Ｎｅｔｗｏｒｋ）を介して接続されており、ＰＣ１０１と通信を行う。また、本実施形態では、ＭＦＰ１００とＰＣ１０１が有線ＬＡＮを介して接続される例を説明するが、ＭＦＰ１００とＰＣ１０１はＵＳＢケーブルを介して接続されてもよい。また、ＭＦＰ１００とＰＣ１０１はＷｉ−Ｆｉ（Ｗｉｒｅｌｅｓｓ  Ｆｉｄｅｌｉｔｙ）やＢｌｕｅｔｏｏｔｈ（登録商標）などの無線通信によって通信可能に構成されてもよい。
【００１８】
ＰＣ１０１は、アプリケーションソフトによって画像データを生成し、生成した画像データをＭＦＰ１００に送信する。なお、本実施形態では、ＰＣ１０１を外部の情報処理装置の例として説明するが、情報処理装置はＰＣ１０１に限らず、ＰＤＡ（Ｐｅｒｓｏｎａｌ  Ｄｉｇｉｔａｌ  Ａｓｓｉｓｔａｎｔ）やスマートフォンなどの携帯情報端末であってもよい。
【００１９】
一方、ＭＦＰ１００は、サーバ１０２とネットワーク及びビデオケーブルを介して接続されている。ビデオケーブルは印刷画像の転送用に使われ、ネットワーク１０５はその他の情報のやりとりに用いられる。なお、特に断らない限り、本発明の機能が実行されるのであれば、ＭＦＰ１００とサーバ１０２の接続に用いられるネットワークは、ＬＡＮ、ＷＡＮなどのネットワークでもよい。サーバ１０２は、画像処理、印刷制御、ジョブ管理、ユーザ認証等の様々な機能を有する。なお、サーバ１０２とＰＣ１０１とが、ＬＡＮ、ＷＡＮなどのネットワーク、あるいは無線ＬＡＮなどを介して通信可能に接続されていてもよい。
【００２０】
本実施形態に係るＭＦＰ１００は、後述するコントローラ部（制御部）１１０、リーダ部１２０、プリンタ部１３０、外部Ｉ／Ｆ１４０、操作部１５０、ハードディスク（以下、ＨＤＤと呼ぶ）１６０、圧縮展開部１７０、及び、画像回転部１８０を有する。これらは電気的に接続されており、互いに制御コマンドやデータを送受信する。また、通信部の一例である外部Ｉ／Ｆ１４０は、外部装置と画像データの送受信を行うためのインタフェースであり、外部装置とは、ＰＣ１０１及びサーバ１０２の他には、例えば、ファクシミリ、ネットワーク接続機器、外部専用装置などである。
【００２１】
リーダ部１２０は、コントローラ部１１０との通信を制御するスキャナ制御部１２１、後述するＡＤＦリーダ部１２２、及び、圧板リーダ部１２３を有する。
【００２２】
ＡＤＦリーダ部１２２では、光学系の位置を固定し、自動原稿搬送装置（ＡＤＦ：Ａｕｔｏ  Ｄｏｃｕｍｅｎｔ  Ｆｅｅｄｅｒ）によって原稿を搬送させながら、原稿の画像を読み取る（流し読み方式とも呼ぶ）。一方、圧板リーダ部１２３では、原稿をプラテンガラス（原稿台）２２１に載置させることで原稿位置を固定させながら、光学系を移動させることによって原稿の画像を読み取る（光学系移動方式とも呼ぶ）。
【００２３】
リーダ部１２０での原稿の読取指示はコントローラ部１１０からスキャナ制御部１２１を介して行われ、原稿の画像を光学的に読み取り、電気信号としての画像データに変換する。なお、本実施形態では、リーダ部１２０での原稿の読取指示はコントローラ部１１０からスキャナ制御部１２１を介して行われる場合について以降説明するが、このような場合に限らない。リーダ部１２０にスキャナ制御部１２１を構成として有さないＭＦＰである場合は、リーダ部１２０での原稿の読取指示はコントローラ部１１０のＣＰＵ１１１から直接行われてもよい。
【００２４】
一方、プリンタ部１３０は、コントローラ部１１０との通信を制御するプリンタ制御部１３１を有する。さらに、プリンタ部１３０は、印刷に使用するシートを収納する複数のシート収納部（給紙段）を備えた給紙ユニット１３２、及び、印刷物に対してステイプル処理やシフト処理を施す排紙ユニット１３３を有する。また、プリンタ部１３０は、コントローラ部１１０のハードディスク（以下、ＨＤＤ）１６０に記憶された印刷対象のジョブの印刷処理を実行する。プリンタ部１３０での画像データの印刷指示はコントローラ部１１０からプリンタ制御部１３１を介して行われ、画像データに基づいて、給紙段から給紙されたシートにトナーを用いて画像を形成（印刷）し、画像データの転写と定着を行う。なお、本実施形態では、プリンタ部１３０での画像データの印刷指示はコントローラ部１１０からプリンタ制御部１３１を介して行われる場合について以降説明するが、このような場合に限らない。プリンタ部１３０にプリンタ制御部１３１を構成として有さないＭＦＰである場合は、プリンタ部１３０での画像データの印刷指示はコントローラ部１１０のＣＰＵ１１１から直接行われてもよい。
【００２５】
一方、コントローラ部１１０は、自装置内部に複数の処理対象となるジョブを記憶可能なＨＤＤ１６０等の不揮発メモリを備える。尚、本実施形態では、大容量かつ不揮発な記憶装置としてＨＤＤ１６０を例として説明するが、大容量かつ不揮発な記憶装置であるならば、ＳＳＤ（Ｓｏｌｉｄ  Ｓｔａｔｅ  Ｄｒｉｖｅ）などの不揮発メモリであってもよい。
【００２６】
コントローラ部１１０は、複数の機能ブロックを有する。例えば、リーダ部１２０で読み取った原稿の画像データをＨＤＤ１６０に記憶し、そのＨＤＤ１６０から画像データを読み出して、プリンタ部１３０で当該画像データに基づいて画像をシートに印刷するコピージョブを実行することができる。また、リーダ部１２０で読み取った原稿の画像データをコードデータに変換し、通信部の一例である外部Ｉ／Ｆ１４０を介して、外部装置であるＰＣ１０１に送信するスキャナ機能を実行することができる。また、ＰＣ１０１やサーバ１０２から外部Ｉ／Ｆ１４０を介して受信したプリントジョブをＨＤＤ１６０に記憶する。そして、ＨＤＤ１６０から読み出してコードデータを画像データに変換して、プリンタ部１３０で当該画像データに基づいて画像をシートに印刷する印刷機能を実行することができる。
【００２７】
また、コントローラ部１１０は、ＣＰＵ１１１、ＲＯＭ１１５、ＲＡＭ１１４、リーダＩ／Ｆ１１２、及びプリンタＩ／Ｆ１１３を有する。
【００２８】
ＣＰＵ１１１は、このＭＦＰ１００が備える各種ユニットの処理や動作等を制御する。ＲＯＭ１１５は、読み出し専用のメモリであり、ブートシーケンスやフォント情報等のプログラムを予め記憶している。一方、ＲＡＭ１１４は、読み出し及び書き込み可能なメモリであり、リーダ部１２０や外部Ｉ／Ｆ１４０より送られてきた画像データや、各種プログラムや設定情報等を記憶する。
【００２９】
ＲＯＭ１１５には、ＣＰＵ１１１により実行される、後述するフローチャートの各種処理等を実行するために必要な各種の制御プログラムが記憶されている。また、ＲＯＭ１１５には、ユーザインタフェース画面（以下、ＵＩ画面）を含む、後述する操作部１５０の表示部に各種のＵＩ画面を表示させるための表示制御プログラムも記憶されている。ＣＰＵ１１１がＲＯＭ１１５に記憶されているプログラムを読み出して実行することにより、各種動作をＭＦＰ１００により実行させる。
【００３０】
また、ＣＰＵ１１１が、外部Ｉ／Ｆ１４０を介して外部装置から受信したページ記述言語（以下、ＰＤＬと略す）データを解釈し、ラスタイメージデータ（ビットマップ画像データ）に展開する動作を実行するプログラム等もＲＯＭ１１５に記憶されている。同様に、ＣＰＵ１１１が、外部Ｉ／Ｆ１４０を介して外部装置から受信した印刷ジョブを解釈して処理するためのプログラム等もＲＯＭ１１５に記憶されている。これらは、ソフトウェアによって処理される。
【００３１】
また、ＨＤＤ１６０は、システムソフトウェアや、システムバス１１７上に配置される圧縮展開部１７０によって圧縮された画像データなどを格納することができる。このＨＤＤ１６０は、処理対象となるジョブのプリントデータ等の複数のデータを保持可能に構成されている。コントローラ部１１０は、リーダ部１２０や外部Ｉ／Ｆ１４０等の各種入力ユニットを介して入力された処理対象となるジョブを、このＨＤＤ１６０に格納し、ＨＤＤ１６０から読み出してプリンタ部１３０に出力してプリントする。また、コントローラ部１１０は、ＨＤＤ１６０から読み出したジョブを、外部Ｉ／Ｆ１４０を介して外部装置へ送信できるようにも制御する。
【００３２】
圧縮展開部１７０は、ＪＢＩＧやＪＰＥＧ等といった各種圧縮方式によってＲＡＭ１１４、ＨＤＤ１６０に記憶されている画像データ等を圧縮したり伸張したりする処理を行い、ＲＡＭ１１４に再度格納することが可能な画像処理ブロックを有する。この圧縮展開部１７０によって圧縮された画像データは、外部Ｉ／Ｆ１４０を介して外部装置へ送信することができる。
【００３３】
なお、コントローラ部１１０は、外部装置から画像データを外部Ｉ／Ｆ１４０を介して受信することができる。外部Ｉ／Ｆ１４０を介して受信した画像データをＨＤＤ１６０に格納する際において、当該画像データは圧縮展開部１７０によって圧縮される。一方、ＨＤＤ１６０に格納された画像データに基づいて画像をシートに印刷する際において、当該画像データは圧縮展開部１７０によって伸長される。
【００３４】
また、コントローラ部１１０は、ＨＤＤ１６０に格納した処理対象のジョブの各種出力処理を実行する。ここではＨＤＤ１６０を例にして説明したが、揮発性のＲＡＭでもよい。
【００３５】
リーダＩ／Ｆ１１２は画像入力装置であるリーダ部１２０と接続するためのインタフェースであり、プリンタＩ／Ｆ１１３は画像出力装置であるプリンタ部１３０と接続するためのインタフェースである。コントローラ部１１０は、リーダＩ／Ｆ１１２やプリンタＩ／Ｆ１１３を通じて画像データの同期系／非同期系の変換や制御を行う。
【００３６】
また、コントローラ部１１０は、システムバス１１７上に配置される画像回転部１８０を備える。なお、画像回転部１８０は、画像データに対して回転処理を行う。例えば、ＨＤＤ１６０に記憶された画像データを画像回転部１８０によって１８０度回転させることができる。
【００３７】
また、ＭＦＰ１００は、ユーザインタフェース部の一例に該当する、表示部を有する操作部１５０も備えている。本実施形態に係るＭＦＰ１００の操作部１５０は、不図示の表示部とハードキーとを有する。表示部は、ＬＣＤ（Ｌｉｑｕｉｄ  Ｃｒｙｓｔａｌ  Ｄｉｓｐｌａｙ：液晶表示部）と、ＬＣＤ上に貼られた透明電極（静電容量方式でもよい）からなるタッチパネルシートとで構成され、ＬＣＤには操作画面やＭＦＰ１００の状態が表示される。操作部１５０は、当該操作画面またはハードキーを介して、ユーザからの各種設定を受け付ける機能と、ユーザに情報を提供する機能とを有する。
【００３８】
図１に示したリーダ部１２０及びプリンタ部１３０の断面図は、図２のとおりである。また、リーダ部１２０におけるＡＤＦリーダ部１２２の外観図は図３（Ａ）によって表され、リーダ部１２０における圧板リーダ部１２３の外観図は図３（Ｂ）によって表される。
【００３９】
ＡＤＦリーダ部１２２によって原稿２０３の画像を読み取る場合は、図３（Ａ）に示すように原稿２０３の読み取り面を上にして（フェイスアップと呼ぶ）、原稿トレイ２０２上に原稿２０３を載置する。そして、ＡＤＦリーダ部１２２では、原稿２０３の画像は露光部２１３に対して、原稿２０３を相対的に移動させながら読み取られる。ＡＤＦリーダ部１２２における原稿２０３の画像の読み取り動作について以降具体的に説明する。
【００４０】
まず、原稿トレイ２０２上に載置された原稿２０３は、対になっている原稿給紙ローラ２０４と分離パッド２０５によって、１枚ずつ搬送される。そして、１枚ずつ搬送された原稿２０３は、中間ローラ対２０６で装置内に送られた後、大ローラ２０８とローラ２０９によって搬送されるとともに、大ローラ２０８とローラ２１０によって更に搬送される。そして、原稿ガラス２１２に接触する形で原稿ガイド板２１７との間を通って搬送された原稿２０３は、ジャンプ台２１８を経由した後、大ローラ２０８とローラ２１１によって更に搬送されて、原稿排紙ローラ対２０７により原稿排紙トレイ２３７に排出される。
【００４１】
なお、原稿２０３が原稿ガラス２１２上を通過する際に、原稿ガラス２１２に接している面が露光部２１３によって露光されて、原稿２０３の画像が主走査方向、及び、副走査方向に対して読み取られる（図４（Ａ）参照）。その結果得られる原稿２０３からの反射光が複数のミラーを介してミラーユニット２１４に伝達される。そして、伝達された反射光はレンズ２１５を通過し、集光されて、ＣＣＤセンサ部２１６によって電気信号に変換される。このとき、ＣＣＤセンサ部２１６から出力される画像データは、図５（Ａ）によって示され、当該画像データは前述した所定の処理が施された後、コントローラ部１１０へ転送される。
【００４２】
一方、圧板リーダ部１２３によって原稿２２０の画像を読み取る場合は、図３（Ｂ）に示すように、圧板２０１を開けて、原稿の読み取り面を下にして（フェイスダウンと呼ぶ）、プラテンガラス（原稿台）２２１上に原稿２２０を置き、圧板２０１を閉める。圧板リーダ部１２３における原稿２２０の画像の読み取り動作について以降具体的に説明する。
【００４３】
まず、プラテンガラス（原稿台）２２１上に載置された原稿２２０について、プラテンガラス（原稿台）２２１の下面の左端から右端に向かって露光部２１３を移動させて副走査を行う。プラテンガラス（原稿台）２２１に接している面が露光部２１３によって露光されて、原稿２２０の画像が主走査方向、及び、副走査方向に対して読み取られる（図４（Ｂ）参照）。その結果得られる原稿２２０からの反射光が複数のミラーを介してミラーユニット２１４に伝達される。そして、伝達された反射光はレンズ２１５を通過し、集光されて、ＣＣＤセンサ部２１６によって電気信号に変換される。このとき、ＣＣＤセンサ部２１６から出力される画像データは、図５（Ｂ）によって示され、当該画像データは前述した所定の処理が施された後、コントローラ部１１０へ転送される。
【００４４】
このように、ＡＤＦリーダ部１２２によって原稿２０３の画像を読み取る場合（以降、ＡＤＦ読みと呼ぶ）は、原稿の先端から画像が読み取られる。一方、圧板リーダ部１２３によって原稿２２０の画像の読み取る場合（以降、圧板読みと呼ぶ）は、原稿の後端から画像が読み取られる。即ち、ＡＤＦ読みと圧板読みとの間で、原稿の画像を読み取る方向のうち副走査方向は１８０度異なる。
【００４５】
なお、図４（Ａ）及び図４（Ｂ）では、ＡＤＦ読みと圧板読みとの間で、原稿の画像を読み取る方向のうち副走査方向に加えて、主走査方向も１８０度異なる場合について例示したが、このような場合に限らない。例えば、ＡＤＦ読みによって生成した画像データに対して鏡像に変換する鏡像処理を施すのであれば、原稿の画像を読み取る方向のうち主走査方向は、ＡＤＦ読みも圧板読みも同じであっても良い。また、ＡＤＦ読みと圧板読みとの間で、原稿の画像を読み取る方向のうち、主走査方向又は副走査方向の少なくとも一方が１８０度異なっていても良い。
【００４６】
なお、本実施形態におけるＭＦＰ１００のリーダ部１２０が備える光学系は、原稿からの反射光をＣＣＤ（Ｃｈａｒｇｅ  Ｃｏｕｐｌｅｄ  Ｄｅｖｉｃｅ）センサ上に結像する縮小光学系である場合について説明したが、このような場合に限らない。リーダ部１２０が備える光学系は、原稿からの反射光をＣＩＳ（Ｃｏｎｔａｃｔ  Ｉｍａｇｅ  Ｓｅｎｓｏｒ）上に結像する等倍光学系であってもよい。
【００４７】
続いて、コントローラ部１１０から出力されて、プリンタ部１３０に画像データを転送する際、画像回転部１８０によって必要に応じて画像データの回転が行われる。
【００４８】
例えば、ＡＤＦ読みによって生成した図５（Ａ）の画像データを画像回転部１８０によって１８０度回転させた場合は、図５（Ｃ）によって示される。一方、圧板読みによって生成した図５（Ｂ）の画像データを画像回転部１８０によって１８０度回転させた場合は、図５（Ｄ）によって示される。即ち、ＡＤＦ読みによって生成した図５（Ａ）の画像データの向きと、圧板読みによって画像データを生成し、当該画像データを１８０度回転させた後の図５（Ｄ）の画像データの向きは同じになる。また、ＡＤＦ読みによって画像データを生成し、当該画像データを１８０度回転させた後の図５（Ｃ）の画像データの向きと、圧板読みによって画像データを生成した図５（Ｂ）の画像データの向きは同じになる。
【００４９】
プリンタ部１３０に転送された画像データは、レーザユニット２２２によって画像データに応じたレーザ光への変換が行われる。そして、このレーザ光は感光体ドラム２２３〜２２６に照射され、感光体ドラム２２３〜２２６にはレーザ光に応じた潜像が形成される。この感光体ドラム２２３〜２２６の潜像の部分には現像ユニット２２７〜２３０によって現像剤が付着される。なお、カラー機では、シアン、イエロー、マゼンタ、ブラック用に、感光体ドラム及び現像ユニットは４つずつ備えている。
【００５０】
また、プリンタ部１３０は、給紙ユニット１３２に備えられたシート収納部（給紙段）として、引き出し状の形状の給紙カセット２３１、２３２、及び、手差しトレイ２３６を有している。なお、給紙カセット２３１、２３２、及び、手差しトレイ２３６は、複数枚のシートを保持することができる。プリンタ部１３０は、給紙カセット及び手差しトレイを複数備えていてもよく、給紙カセット又は手差しトレイのうち、少なくともいずれか一つを備えていてもよい。
【００５１】
プリンタ部１３０は、給紙カセット２３１、２３２、及び、手差しトレイ２３６のいずれかからシートを給紙し、感光体ドラム２２３〜２２６に付着された現像剤をシートに転写した後、定着器２３３に搬送されて熱と圧力により現像剤をシートに定着する。定着器２３３を通過したシートは、搬送ローラ２３４、２３５によって排紙ユニット１３３へ搬送される。排紙ユニット１３３へ搬送されたシートは、まず排紙ユニット１３３のバッファユニット２４１に送られる。ここでは、場合に応じて搬送されてきたシートを、バッファローラに巻きつけてバッファリングする。例えば、この下流で行われるステイプル等処理に時間がかかる場合は、このバッファユニット２４１を利用することによって本体から搬送されてくるシートの搬送間隔を調整することができる。
【００５２】
そして、シートは、この後、上流排出ローラ対２４２、下流排出ローラ対２４３によって搬送路２４４を経由し、スタックトレイ２４５に積まれる。スタックトレイ２４５に１部数のシート束が積載されたら、積載されたシート束は搬送路２４８を経由して、排紙部としての排紙トレイ２４７に排出される。
【００５３】
シフトするよう指定されている場合、スタックトレイ２４５に積載されたシートの束を、直前に排紙したシートの束に対してずらし、排紙部としての排紙トレイ２４７に排出することによって部の切れ目が、ユーザにとってわかりやすくなる。一方、ステイプルするよう指定されている場合、上流排出ローラ対２４２で搬送され、下流排出ローラ対２４３によって搬送路２４４を経由して、スタックトレイ２４５に積まれたシート束に対してステイプルユニット２４６によってステイプル処理が行われる。綴じられたシート束は、下流排出ローラ対２４３により排紙トレイ２４７に排出される。
【００５４】
なお、排紙ユニット１３３を備えていないＭＦＰにおいては、定着器２３３を通過したシートは、搬送ローラ２３４、２３５によって排紙トレイ２４７に直接排出してもよい。また、排紙部としての排紙トレイ２４７を備えていないＭＦＰにおいては、定着器２３３を通過したシートは、排紙部としての胴内に排紙してもよい。
【００５５】
なお、本実施形態では、感光体ドラム及び現像ユニットを４つずつ備えるカラー機を用いた場合について説明したが、感光体ドラムと現像ユニットを１つずつ備えるモノクロ機についても本発明を同様に適用できる。また、本実施形態では、電子写真方式で画像をシートに印刷する方法について説明したが、画像を印刷することができるものであれば、インクジェット方式であってもよく、その他の方法であってもよい。
【００５６】
第１の実施形態に係るＭＦＰ１００において、操作部１５０に表示されるメイン画面６００の一例を図６（Ａ）に示す。メイン画面６００には、コピー機能６０１や、スキャン送信機能６０２といった各種機能を呼び出す選択ボタンが列挙されている。ユーザは所望の選択ボタンを押下することによって、各種機能を利用するための画面に遷移するよう構成されている。
【００５７】
例えば、コピー機能６０１を選択した場合は、コピー機能６０１を利用するための図６（Ｂ）に示す実行画面６１０に遷移する。コピージョブの実行は、実行画面６１０が操作部１５０に表示された状態で開始され、原稿トレイ２０２上に原稿２０３が載置された場合は、ＡＤＦリーダ部１２２によって原稿２０３の読み取り動作が行われる。一方、プラテンガラス（原稿台）２２１上に原稿２２０を置いて、圧板リーダ部１２３によって原稿２２０の読み取り動作を行うこともできる。
【００５８】
続いて、１ページ目の原稿を読み取って生成した画像データに基づいて画像をシートに出力するまでの時間（Ｆｉｒｓｔ  Ｃｏｐｙ  Ｏｕｔ  Ｔｉｍｅ：ＦＣＯＴ）を短縮する為に、原稿の読み取り動作と並行して、印刷動作を行う場合について説明する。ＦＣＯＴを短縮するために、１ページ目の原稿を読み取って生成した画像データの回転動作を行わない。即ち、ＡＤＦ読みでＦＣＯＴを短縮するモード（以降、ＡＤＦ通常モードと呼ぶ）と、圧板読みでＦＣＯＴを短縮するモード（以降、圧板通常モードと呼ぶ）では、生成した画像データの向きが１８０度異なるため、印刷物の画像の向きは１８０度異なる。
【００５９】
一方、排紙部としての排紙トレイ２４７にフェイスダウンの状態で排紙されるシート（即ち、印刷物）の画像の向きを同じにするために、必要に応じて、原稿を読み取って生成した画像データに対する１８０度の回転動作を行う。そのため、ＡＤＦ読みで１８０度の回転動作を行うモード（以降、ＡＤＦ回転モードと呼ぶ）と、圧板読みでＦＣＯＴを短縮するモード（圧板通常モード）では、生成した画像データの向きは同じである。したがって、シートに印刷する画像の向き（即ち、印刷物の画像の向き）は同じになる。同様に、圧板読みで１８０度の回転動作を行うモード（以降、圧板回転モードと呼ぶ）と、ＡＤＦ読みでＦＣＯＴを短縮するモード（ＡＤＦ通常モード）では、生成した画像データの向きは同じである。したがって、シートに印刷する画像の向き（即ち、印刷物の画像の向き）は同じになる。
【００６０】
なお、ＡＤＦ通常モードについては図８（Ａ）で詳細を説明し、圧板通常モードについては図８（Ｂ）で詳細を説明する。また、ＡＤＦ回転モードについては図１０（Ａ）で詳細を説明し、圧板回転モードについては図１０（Ｂ）で詳細を説明する。
【００６１】
第１の実施形態では、原稿の１ページ目については、ＡＤＦ読み、又は、圧板読みのいずれによって原稿の画像を読み取る場合であっても、ＦＣＯＴを短縮するために、生成した画像データを回転させることなくコピーを実行する。一方、原稿の２ページ目以降については、ＡＤＦ読み、又は圧板読みのいずれによって原稿の画像の読み取る場合であっても、印刷物が取り除かれるまでの間は印刷物の画像の向きが同じになるように、画像データの回転動作を制御する場合について説明を進める。
【００６２】
第１の実施形態に係るＭＦＰ１００において、コピージョブの実行に係る一連の処理について、図７に示したフローチャートを用いて説明する。なお、図７の処理は、図６（Ａ）のメイン画面６００上でコピー機能６０１の選択モードが押下されて、図６（Ｂ）の実行画面６１０が操作部１５０に表示されている状態で開始される。なお、図７〜図１２のフローチャートの各処理は、ＣＰＵ１１１が、ＲＯＭ１１５又はＨＤＤ１６０から読み出されてＲＡＭ１１４に展開されたプログラムを実行することによって実現される。
【００６３】
まず、Ｓ７０１において、原稿の画像の読み取り方式に係るフラグの値をＦａｌｓｅとして初期化して、Ｓ７０２に進む。なお、当該フラグの値はＲＡＭ１１４に保持される。また、フラグの値がＦａｌｓｅである場合は、原稿の画像の読み取り方式として、圧板読みであることを表している。一方、フラグの値がＴｒｕｅである場合は、原稿の画像の読み取り方式として、ＡＤＦ読みであることを表している。
【００６４】
Ｓ７０２において、ユーザによる操作によってコピージョブの実行指示を受け付けたか否かを判定する。なお、コピージョブの実行指示は、操作部１５０の不図示のスタートキーの押下によって、コピーの実行指示を受け付けたか否かを判定する。受け付けたと判定されたならば、Ｓ７０３に進む。一方、受け付けたと判定されるまで、Ｓ７０２の処理を繰り返す。
【００６５】
Ｓ７０３において、原稿トレイ２０２上に原稿が載置されているか否かを判定する。なお、原稿トレイ２０２上に原稿が載置されていることは、原稿トレイ２０２に備えられた不図示のセンサによって検知することが可能である。Ｓ７０３での判定の結果、載置されていると判定されたならば、Ｓ８００に進む。
【００６６】
原稿トレイ２０２上の原稿２０３の画像を読み取り、生成した画像データに基づいて画像をシートに出力する一連の処理（Ｓ８００：ＡＤＦ通常モード）の詳細について、図８（Ａ）に示したフローチャートを用いて説明する。
【００６７】
Ｓ８０１において、原稿トレイ２０２上に載置された原稿２０３を搬送して、Ｓ８０２に進む。
【００６８】
Ｓ８０２において、Ｓ８０１で搬送された原稿２０３の画像をＡＤＦリーダ部１２２によって順次読み取り、画像データを生成して、Ｓ８０３に進む。
【００６９】
Ｓ８０３において、Ｓ８０２で生成した画像データをＨＤＤ１６０に順次格納して、Ｓ８０４に進む。
【００７０】
Ｓ８０４において、Ｓ８０３でＨＤＤ１６０に格納した画像データを読み出して、プリンタ部１３０に順次転送して、Ｓ８０５に進む。
【００７１】
Ｓ８０５において、プリンタ部１３０によって、Ｓ８０４で転送された画像データを画像形成し、シートに画像を順次出力して、Ｓ８０６に進む。
【００７２】
Ｓ８０６において、コピー動作（読み取り動作、及び、出力動作）が完了したか否かを判定する。完了していないと判定されたならば、Ｓ８０１に戻って以降の処理を進める。一方、完了したと判定されたならば、Ｓ８００の一連の処理を終了し、図７のＳ７０４に進む。
【００７３】
以上が、原稿トレイ２０２上の原稿２０３の画像を読み取り、生成した画像データに基づいて画像をシートに出力する一連の処理（Ｓ８００）の詳細である。なお、Ｓ８００の処理によりコピーを実行後の印刷物は、排紙トレイ２４７に排出される。
【００７４】
図７のＳ７０４において、ＲＡＭ１１４に保持されたフラグの値をＴｒｕｅとして上書きして、Ｓ７０５に進む。
【００７５】
一方、Ｓ７０３での判定の結果、原稿トレイ２０２上に原稿が載置されていないと判定されたならば、Ｓ８１０に進む。
【００７６】
プラテンガラス２２１上の原稿２２０の画像を読み取り、生成した画像データに基づいて画像をシートに出力する一連の処理（Ｓ８１０：圧板通常モード）の詳細について、図８（Ｂ）に示したフローチャートを用いて説明する。
【００７７】
Ｓ８１１において、プラテンガラス２２１上に載置された原稿２２０の画像を圧板リーダ部１２３によって順次読み取り、画像データを生成して、Ｓ８１２に進む。
【００７８】
Ｓ８１２において、Ｓ８１１で生成した画像データをＨＤＤ１６０に順次格納して、Ｓ８１３に進む。
【００７９】
Ｓ８１３において、Ｓ８０２でＨＤＤ１６０に格納した画像データを読み出して、プリンタ部１３０に順次転送して、Ｓ８１４に進む。
【００８０】
Ｓ８１４において、プリンタ部１３０によって、Ｓ８１３で転送された画像データを画像形成し、シートに画像を順次出力して、Ｓ８１５に進む。
【００８１】
Ｓ８１５において、コピー動作（読み取り動作、及び、出力動作）が完了したか否かを判定する。完了していないと判定されたならば、Ｓ８１１に戻って以降の処理を進める。一方、完了したと判定されたならば、Ｓ８１０の一連の処理を終了し、図７のＳ７０５に進む。
【００８２】
以上が、プラテンガラス２２１上の原稿２２０の画像を読み取り、生成した画像データに基づいて画像をシートに出力する一連の処理（Ｓ８１０）の詳細である。なお、Ｓ８１０の処理によりコピーを実行後の印刷物は、排紙トレイ２４７に排出される。
【００８３】
図７のＳ７０５において、排紙トレイ２４７にあるシート（印刷物）は取り除かれたか否かを判定する。なお、排紙トレイ２４７上にシートが有ること、及び、排紙トレイ２４７上にシートが無いことは、排紙トレイ２４７に備えられた不図示のセンサによって検知することが可能である。したがって、排紙トレイ２４７に備えられた不図示のセンサによって、排紙トレイ２４７上にシート（印刷物）が有る状態を検知した後に、シートが無い状態を検知することによって、排紙トレイ２４７にあるシートが取り除かれたことを判断可能である。
【００８４】
Ｓ７０５での判定の結果、排紙トレイ２４７にあるシート（印刷物）は取り除かれたと判定されたならば、コピージョブの実行に係る一連の処理を終了する。一方、Ｓ７０５でＮＯと判定されたならば、Ｓ７０６に進む。
【００８５】
Ｓ７０６において、ユーザによる操作によってコピージョブの実行指示を更に受け付けたか否かを判定する。受け付けたと判定されたならば、Ｓ９００に進む。一方、受け付けてないと判定されたならば、Ｓ７０５に戻って以降の処理を進める。
【００８６】
シートに印刷される画像の向き（即ち、排紙トレイ２４７に排出される印刷物の画像の向き）が同じになるようにコピーを実行する一連の処理（Ｓ９００）の詳細について、図９に示したフローチャートを用いて説明する。
【００８７】
Ｓ９０１において、原稿トレイ２０２上に原稿２０３が載置されているか否かを判定する。なお、原稿トレイ２０２上に原稿２０３が載置されていることは、原稿トレイ２０２に備えられた不図示のセンサによって検知することが可能である。Ｓ９０１での判定の結果、載置されていると判定されたならば、Ｓ９０２に進む。
【００８８】
Ｓ９０２において、ＲＡＭ１１４に保持されたフラグの値を参照し、当該フラグの値はＴｒｕｅであるか否かを判定する。Ｔｒｕｅであると判定されたならば、Ｓ８００に進む。なお、原稿トレイ２０２上の原稿２０３の画像を読み取り、生成した画像データに基づいて画像をシートに出力する一連の処理（Ｓ８００：ＡＤＦ通常モード）の詳細については、図８（Ａ）を用いて前述したため、その説明は省略する。図９のＳ８００の一連の処理の後、Ｓ９００の一連の処理を終了し、図７のＳ７０５に戻って以降の処理を進める。
【００８９】
一方、Ｓ９０２での判定の結果、フラグの値はＴｒｕｅでない、即ち、フラグの値はＦａｌｓｅであると判定されたならば、Ｓ１０００に進む。
【００９０】
原稿トレイ２０２上の原稿２０３の画像を読み取り、生成した画像データを回転させてシートに画像を出力する一連の処理（Ｓ１０００：ＡＤＦ回転モード）の詳細について、図１０（Ａ）に示したフローチャートを用いて説明する。
【００９１】
Ｓ１００１において、原稿トレイ２０２上に載置された原稿２０３を搬送して、Ｓ８０２に進む。
【００９２】
Ｓ１００２において、Ｓ１００１で搬送された原稿２０３の画像をＡＤＦリーダ部１２２によって順次読み取り、画像データを生成して、Ｓ１００３に進む。
【００９３】
Ｓ１００３において、Ｓ１００２で生成した画像データをＨＤＤ１６０に順次格納して、Ｓ１００４に進む。
【００９４】
Ｓ１００４において、原稿トレイ２０２上に載置された原稿２０３の画像の読み取り動作が完了したか否かを判定する。完了したと判定されたならば、Ｓ１００５に進む。一方、完了していないと判定されたならば、Ｓ１００１に戻って以降の処理を進める。
【００９５】
Ｓ１００５において、ＨＤＤ１６０に格納された画像データを画像回転部１８０によって１８０度回転させて、Ｓ１００６に進む。
【００９６】
Ｓ１００６において、Ｓ１００５で回転させた画像データを読み出して、プリンタ部１３０に順次転送して、Ｓ１００７に進む。
【００９７】
Ｓ１００７において、プリンタ部１３０によって、Ｓ１００６で転送された画像データを画像形成し、シートに画像を順次出力して、Ｓ１００８に進む。
【００９８】
Ｓ１００８において、Ｓ１００５で回転させた画像データのシートへの出力動作が完了したか否かを判定する。完了していないと判定されたならば、Ｓ１００６に戻って以降の処理を進める。一方、完了したと判定されたならば、Ｓ１０００の一連の処理を終了する。図９のＳ１０００の一連の処理の後、Ｓ９００の一連の処理を終了し、図７のＳ７０５に戻って以降の処理を進める。
【００９９】
以上が、原稿トレイ２０２上の原稿２０３の画像を読み取り、生成した画像データを回転させてシートに画像を出力する一連の処理（Ｓ１０００）の詳細である。なお、Ｓ１０００の処理によりコピーを実行後の印刷物は、排紙トレイ２４７に排出される。なお、Ｓ１００５で、ＨＤＤ１６０に格納された画像データを一括して１８０度回転させる場合について説明したが、これに限らない。原稿の画像を順次読み取って、生成した画像データをＨＤＤ１６０に順次格納する時に１８０度回転させても良い。もしくは、ＨＤＤ１６０に格納された画像データを読み出した時に１８０度回転させて、プリンタ部１３０に順次転送しても良い。いずれの場合であっても、原稿の画像の読み取り動作が完了してから、回転させた画像データのシートへの出力動作が開始されることになる。
【０１００】
一方、Ｓ９０１での判定の結果、原稿トレイ２０２上に原稿２０３が載置されていないと判定されたならば、Ｓ９０３に進む。
【０１０１】
Ｓ９０３において、ＲＡＭ１１４に保持されたフラグの値を参照し、当該フラグの値はＴｒｕｅであるか否かを判定する。Ｔｒｕｅであると判定されたならば、Ｓ１０１０に進む。
【０１０２】
プラテンガラス２２１上の原稿２２０の画像を読み取り、生成した画像データを回転させてシートに画像を出力する一連の処理（Ｓ１０１０：圧板回転モード）の詳細について、図１０（Ｂ）のフローチャートを用いて説明する。
【０１０３】
Ｓ１０１１において、プラテンガラス２２１上に載置された原稿２２０の画像を圧板リーダ部１２３によって順次読み取り、画像データを生成して、Ｓ１０１２に進む。
【０１０４】
Ｓ１０１２において、Ｓ１０１１で生成した画像データをＨＤＤ１６０に順次格納して、Ｓ１０１３に進む。
【０１０５】
Ｓ１０１３において、プラテンガラス２２１上に載置された原稿２２０の画像の読み取り動作が完了したか否かを判定する。完了したと判定されたならば、Ｓ１０１４に進む。一方、完了してないと判定されたならば、Ｓ１０１１に戻って以降の処理を進める。
【０１０６】
Ｓ１０１４において、ＨＤＤ１６０に格納された画像データを画像回転部１８０によって１８０度回転させて、Ｓ１０１５に進む。
【０１０７】
Ｓ１０１５において、Ｓ１０１４で回転させた画像データを読み出して、プリンタ部１３０に順次転送して、Ｓ１０１６に進む。
【０１０８】
Ｓ１０１６において、プリンタ部１３０によって、Ｓ１０１５で転送された画像データを画像形成し、シートに画像を順次出力して、Ｓ１０１７に進む。
【０１０９】
Ｓ１０１７において、Ｓ１０１４で回転させた画像データのシートへの出力動作が完了したか否かを判定する。完了していないと判定されたならば、Ｓ１０１５に戻って以降の処理を進める。一方、完了したと判定されたならば、Ｓ１０１０の一連の処理を終了する。図９のＳ１０１０の一連の処理の後、Ｓ９００の一連の処理を終了し、図７のＳ７０５に戻って以降の処理を進める。
【０１１０】
以上が、プラテンガラス２２１上の原稿２２０の画像を読み取り、生成した画像データを回転させてシートに画像を出力する一連の処理（Ｓ１０１０）の詳細である。なお、Ｓ１０１０の処理によりコピーを実行後の印刷物は、排紙トレイ２４７に排出される。なお、Ｓ１０１４で、ＨＤＤ１６０に格納された画像データを一括して１８０度回転させる場合について説明したが、これに限らない。原稿の画像を順次読み取って、生成した画像データをＨＤＤ１６０に順次格納する時に１８０度回転させても良い。もしくは、ＨＤＤ１６０に格納された画像データを読み出した時に１８０度回転させて、プリンタ部１３０に順次転送しても良い。いずれの場合であっても、原稿の画像の読み取り動作が完了してから、回転させた画像データのシートへの出力動作が開始されることになる。
【０１１１】
一方、Ｓ９０３での判定の結果、フラグの値はＴｒｕｅでない、即ち、フラグの値はＦａｌｓｅであると判定されたならば、Ｓ１０１０に進む。なお、プラテンガラス２２１上の原稿２２０の画像を読み取り、生成した画像データに基づいて画像をシートに出力する一連の処理（Ｓ８１０：圧板通常モード）の詳細については、図８（Ｂ）を用いて前述したため、その説明は省略する。図９のＳ８１０の処理の後、Ｓ９００の一連の処理を終了し、図７のＳ７０５に戻って以降の処理を進める。
【０１１２】
以上説明したように第１の実施形態では、原稿の１ページ目については、ＡＤＦ読み、又は、圧板読みのいずれによって原稿の画像を読み取る場合であっても、生成した画像データを回転させることなくコピーを実行するため、ＦＣＯＴを短縮することができる。一方、原稿の２ページ目以降については、ＡＤＦ読み、又は、圧板読みのいずれによって原稿の画像の読み取る場合であっても、印刷物が取り除かれるまでの間は、生成した画像データの回転動作を制御する。そのため、１ページ目と２ページ目以降の印刷物の画像の向きを同一にすることができる。これにより、生産性、及びユーザの利便性を向上させることができる。
【０１１３】
なお、前述した第１の実施形態では、「ＡＤＦ通常モード」、「ＡＤＦ回転モード」、「圧板回転モード」、及び「圧板通常モード」の４つの印刷モードを有し、これらの印刷モードを選択的に実行できるよう制御する場合について説明したが、これに限らない。例えば、「ＡＤＦ回転モード」、及び「圧板回転モード」の２つの印刷モードのみを有して、これらの印刷モードを選択的に実行できるよう制御してもよい。
【０１１４】
なお、前述した第１の実施形態では、シート（印刷物）が排紙トレイ２４７から取り除かれない限り、コピージョブの実行に係る一連の処理（図７のフローチャート）を終了しない場合について説明したが、これに限らない。例えば、ＭＦＰ１００に不図示のタイマを新たに設け、コピージョブの実行指示を前回受け付けてから所定時間が経過しても、コピージョブの実行指示を更に受け付けていない場合は、コピージョブの実行に係る一連の処理を終了してもよい。もしくは、操作部１５０の不図示のユーザ認証画面上でログインされた後に、コピージョブを実行し、ログアウトされたことによって、コピージョブの実行に係る一連の処理を終了してもよい。
【０１１５】
［第２の実施形態］
前述した第１の実施形態では、原稿の１ページ目については、ＡＤＦ読み、又は、圧板読みのいずれによって原稿の画像を読み取る場合であっても、生成した画像データを回転させることなくコピーを実行した。また、原稿の２ページ目以降については、ＡＤＦ読み、又は、圧板読みのいずれによって原稿の画像の読み取る場合であっても、排紙トレイ２４７にあるシート（印刷物）が取り除かれるまでの間、生成した画像データの回転動作を制御する場合について説明した。
【０１１６】
一方、第２の実施形態では、ユーザ認証でログインしてからログアウトするまでの間、原稿の１ページ目については、ＡＤＦ読み又は圧板読みのいずれによって原稿の画像を読み取る場合であっても、生成した画像データを回転させることなくコピーを実行する。また、原稿の２ページ目以降については、ＡＤＦ読み、又は圧板読みのいずれによって原稿の画像を読み取る場合であっても、生成した画像データを回転させることなくコピーを実行する。そのために、必要に応じて、シート（印刷物）を排紙トレイ２４７から取り除くようユーザに通知する場合について説明する。
【０１１７】
第２の実施形態において、原稿トレイ２０２上の原稿２０３の画像を読み取り、生成した画像データに基づいて画像をシートに出力する一連の処理（Ｓ８００）を説明する為のフローチャートは、第１の実施形態に係る図８（Ａ）と同様の為、説明は省略する。
【０１１８】
また、プラテンガラス２２１上の原稿２２０の画像を読み取り、生成した画像データに基づいて画像をシートに出力する一連の処理（Ｓ８１０）を説明するためのフローチャートは、第１の実施形態に係る図８（Ｂ）と同様のため、その説明は省略する。
【０１１９】
また、原稿トレイ２０２上の原稿２０３の画像を読み取り、生成した画像データを回転させてシートに画像を出力する一連の処理（Ｓ１０００）を説明するためのフローチャートは、第１の実施形態に係る図１０（Ａ）と同様のため、その説明は省略する。
【０１２０】
また、プラテンガラス２２１上の原稿２２０の画像を読み取り、生成した画像データを回転させてシートに画像を出力する一連の処理（Ｓ１０１０）を説明するためのフローチャートは、第１の実施形態に係る図１０（Ｂ）と同様のため、その説明は省略する。
【０１２１】
一方、第２の実施形態では、図７を用いて説明したコピージョブの実行に係る一連の処理における一部の動作が第１の実施形態とは異なる。そこで、第１の実施形態における処理と共通する動作は同一のステップ番号を付し、詳細な説明は省略する。第１の実施形態における図７の処理とは差分となる動作を中心に、図１１のフローチャートを用いて説明する。
【０１２２】
なお、図１１の処理は、図６（Ａ）のメイン画面６００上でコピー機能６０１の選択モードが押下されて、図６（Ｂ）の実行画面６１０が操作部１５０に表示されている状態で開始される。
【０１２３】
Ｓ１１０１において、操作部１５０の不図示のユーザ認証画面上で、ログインされたか否かを判定する。ログインされたと判定されたならば、Ｓ７０１に進んで以降の処理を行う。一方、ログインされるまで、Ｓ１１０１の処理を繰り返す。
【０１２４】
Ｓ７０４の処理の後、又は、Ｓ８１０の処理の後、Ｓ１１０２に進む。
【０１２５】
Ｓ１１０２において、操作部１５０の不図示のユーザ認証画面上で、ログアウトされたか否かを判定する。ログアウトされていないと判定されたならば、Ｓ７０６に進む。Ｓ７０６でＹＥＳと判定されたならば、Ｓ１２００に進む。
【０１２６】
第２の実施形態において、シートに印刷される画像の向き（即ち、排紙トレイ２４７に排出される印刷物の画像の向き）が同じになるようにコピーを実行する一連の処理（Ｓ１２００）について、図１２に示したフローチャートを用いて説明する。
【０１２７】
Ｓ１２０１において、原稿トレイ２０２上に原稿２０３が載置されているか否かを判定する。なお、原稿トレイ２０２上に原稿２０３が載置されていることは、原稿トレイ２０２に備えられた不図示のセンサによって検知することが可能である。Ｓ１２０１での判定の結果、載置されていると判定されたならば、Ｓ１２０２に進む。
【０１２８】
Ｓ１２０２において、ＲＡＭ１１４に保持されたフラグの値を参照し、当該フラグの値はＴｒｕｅであるか否かを判定する。Ｔｒｕｅであると判定されたならば、Ｓ８００に進む。なお、原稿トレイ２０２上の原稿２０３の画像を読み取り、生成した画像データに基づいて画像をシートに出力する一連の処理（Ｓ８００：ＡＤＦ通常モード）の詳細については、図８（Ａ）を用いて前述したため、その説明は省略する。図１２のＳ８００の一連の処理の後、Ｓ１２００の一連の処理を終了し、図１１のＳ１１０２に戻って以降の処理を進める。
【０１２９】
一方、Ｓ１２０２での判定の結果、フラグの値はＴｒｕｅでない、即ち、フラグの値はＦａｌｓｅであると判定されたならば、Ｓ１２０３に進む。
【０１３０】
Ｓ１２０３において、図１３に示す警告画面１３００を操作部１５０上に表示して、Ｓ１２０４に進む。
【０１３１】
Ｓ１２０４において、排紙トレイ２４７にあるシート（印刷物）は取り除かれたか否かを判定する。なお、排紙トレイ２４７上にシートが有ること、及び、排紙トレイ２４７上にシートが無いことは、排紙トレイ２４７に備えられた不図示のセンサによって検知することが可能である。したがって、排紙トレイ２４７に備えられた不図示のセンサによって、排紙トレイ２４７上にシート（印刷物）が有る状態を検知した後に、シートが無い状態を検知することによって、排紙トレイ２４７にあるシートが取り除かれたことを判断可能である。
【０１３２】
Ｓ１２０４での判定の結果、排紙トレイ２４７にあるシート（印刷物）は取り除かれたと判定されたならば、Ｓ８００に進んで以降の処理を行う。一方、Ｓ１２０４でＮＯと判定されたならば、排紙トレイ２４７にあるシート（印刷物）が取り除かれるまでＳ１２０４の処理を繰り返す。
【０１３３】
一方、Ｓ１２０１での判定の結果、原稿トレイ２０２上に原稿２０３が載置されていないと判定されたならば、Ｓ１２０５に進む。
【０１３４】
Ｓ１２０５において、ＲＡＭ１１４に保持されたフラグの値を参照し、当該フラグの値はＴｒｕｅであるか否かを判定する。Ｔｒｕｅであると判定されたならば、Ｓ１２０６に進む。
【０１３５】
Ｓ１２０６において、図１３に示す警告画面１３００を操作部１５０上に表示して、Ｓ１２０７に進む。
【０１３６】
Ｓ１２０７において、排紙トレイ２４７にあるシート（印刷物）は取り除かれたか否かを判定する。取り除かれたと判定されたならば、Ｓ８１０に進む。一方、Ｓ１２０７でＮＯと判定されたならば、排紙トレイ２４７にあるシート（印刷物）が取り除かれるまでＳ１２０７の処理を繰り返す。
【０１３７】
なお、プラテンガラス２２１上の原稿２２０の画像を読み取り、生成した画像データに基づいて画像をシートに出力する一連の処理（Ｓ８１０：圧板通常モード）の詳細については、図８（Ｂ）を用いて前述したため、その説明は省略する。図１２のＳ８１０の一連の処理の後、Ｓ１２００の一連の処理を終了し、図１１のＳ１１０２に戻って以降の処理を進める。
【０１３８】
一方、Ｓ１２０５での判定の結果、フラグの値はＴｒｕｅでない、即ち、フラグの値はＦａｌｓｅであると判定されたならば、Ｓ８１０に進んで以降の処理を行う。図１１のＳ１１０２での判定の結果、ログアウトされたと判定されたならば、第２の実施形態におけるコピーの実行に係る一連の処理（図１１のフローチャート）を終了する。
【０１３９】
以上が、コピージョブの実行に係る一連の処理において、第２の実施形態で第１の実施形態とは差分となる動作の詳細である。
【０１４０】
以上説明したように第２の実施形態では、ユーザ認証でログインしてからログアウトするまでの間のコピー動作を対象にした。原稿の１ページ目については、ＡＤＦ読み、又は圧板読みのいずれによって原稿の画像を読み取る場合であっても、生成した画像データを回転させることなくコピーを実行するため、ＦＣＯＴを短縮することができる。一方、原稿の２ページ目以降については、ＡＤＦ読み、又は、圧板読みのいずれによって原稿の画像を読み取る場合であっても、生成した画像データを回転させることなくコピーを実行する。そのために、必要に応じて、シート（印刷物）を排紙トレイ２４７から取り除くようユーザに通知する。そして、操作部１５０に表示された警告画面１３００を確認したユーザは、シート（印刷物）を排紙トレイ２４７から取り除く。これによって、生成した画像データを回転させることなくコピーを実行した場合であっても、シートに印刷される画像の向き（即ち、印刷物の画像の向き）を、ユーザが後で同一にすることができる。
【０１４１】
［第３の実施形態］
第３の実施形態では、ユーザ認証でログインしてからログアウトするまでの間、原稿の１ページ目については、ＡＤＦ読み、又は、圧板読みのいずれによって原稿の画像を読み取る場合であっても、生成した画像データを回転させることなくコピーを実行する。
【０１４２】
一方、原稿の２ページ目以降については、ＡＤＦ読み、又は、圧板読みのいずれによって原稿の画像を読み取る場合であっても、シートに印刷される画像の向き（即ち、印刷物の画像の向き）が同じになるようにする。そのために必要に応じて、生成した画像データを回転させてからシートに画像を出力する（以降、第１の設定モードと呼ぶ）。もしくは、必要に応じて、シート（印刷物）を排紙トレイ２４７から取り除くようユーザに通知し、シート（印刷物）が取り除かれてから画像データを回転させることなくシートに画像を出力する（以降、第２の設定モードと呼ぶ）。なお、第１の設定モードは、第１の実施形態におけるコピー動作（図７及び図９）に相当し、第２の設定モードは、第２の実施形態におけるコピー動作（図１１及び図１２）に相当する。
【０１４３】
図１４の設定画面１４００上で、ユーザは、第１の設定モード、又は、第２の設定モードのいずれかのコピー動作を選択し設定することで、当該設定に従って、コピー動作を切り替えることができるようにしてもよい。例えば、設定画面１４００上で選択ボタン１４０１（第１の設定モード）が選択された場合は、図７及び図９で前述したコピージョブの実行に係る一連の処理が実行される。一方、選択ボタン１４０２（第２の設定モード）が選択された場合は、図１１及び図１２で前述したコピージョブの実行に係る一連の処理が実行されることになる。
【０１４４】
本発明は上記実施形態に限定されるものではなく、本発明の趣旨に基づき種々の変形（各実施形態の有機的な組合せを含む）が可能であり、それらを本発明の範囲から除外するものではない。
【０１４５】
例えば、本実施形態では、ＭＦＰ１００のコントローラ部１１０のＣＰＵ１１１が上記各種制御の主体となっていたが、ＭＦＰ１００と別筐体の外付けコントローラ等の印刷制御装置によって、上記各種制御の一部又は全部を実行可能に構成しても良い。
【０１４６】
以上、本発明の様々な例と実施形態を示して説明したが、当業者であれば、本発明の趣旨と範囲は、本明細書内の特定の説明に限定されるのではない。
【０１４７】
（その他の実施形態）
また、本発明の目的は、以下の処理を実行することによっても達成される。即ち、上述の実施例の機能を実現するソフトウェアのプログラムコードを記憶した記憶媒体を装置（又はシステム）に供給し、その装置（又はシステム）のコンピュータ（ＣＰＵ、ＭＰＵ）が記憶媒体に格納したプログラムコードを読出す処理である。この場合、記憶媒体から読出されたプログラムコード自体が前述した実施形態の機能を実現することになる。また、そのプログラムコード及び該プログラムコードを記憶した記憶媒体は本発明を構成することになる。また前記記憶媒体は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）であってもよい。さらに、前記記憶媒体は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）、Ｂｌｕ−ｒａｙ（登録商標）  Ｄｉｓｃ、フラッシュメモリ、メモリカード等であってもよい。また、上述した実施例の１又は複数の機能は、１つのプロセッサによって実現されてもよいし、複数のプロセッサによって実現されてもよいし、ネットワーク上の複数のコンピュータによって実現されてもよい。
【符号の説明】
【０１４８】
１００  ＭＦＰ
１０１  ＰＣ
１０２  サーバ
１１１  ＣＰＵ
１１４  ＲＡＭ
１１５  ＲＯＭ
１２０  リーダ部
１２２  ＡＤＦリーダ部
１２３  圧板リーダ部
１３０  プリンタ部
１６０  ＨＤＤ
１８０  画像回転部
【図１】
2015115673.tif 000003
【図２】
2015115673.tif 000004
【図３】
2015115673.tif 000005
【図４】
2015115673.tif 000006
【図５】
2015115673.tif 000007
【図６】
2015115673.tif 000008
【図７】
2015115673.tif 000009
【図８】
2015115673.tif 000010
【図９】
2015115673.tif 000011
【図１０】
2015115673.tif 000012
【図１１】
2015115673.tif 000013
【図１２】
2015115673.tif 000014
【図１３】
2015115673.tif 000015
【図１４】
2015115673.tif 000016